(57)【特許請求の範囲】
【請求項１】
表面と裏面とを備えた長方形状の第１封筒本体と、該第１封筒本体の一辺に対して平行に横断して設けられる切り取り用のミシン目と、該ミシン目によって２領域に分離可能とされる前記第１封筒本体の一方の領域として区画される第２封筒本体と、該第２封筒本体の表裏面のうちの何れか一方の面を前記ミシン目と平行な一辺において延長して他方の面へ折り曲げられるようにしてなる折曲用延長片とを備え、且つ該折曲用延長片の先端部を、前記折曲用延長片が他方の面へ折り曲げられた際に前記ミシン目を越える位置まで達してなる第２封緘片として構成してあることを特徴とする封筒。
【請求項２】
第１封筒本体を封緘する第１封緘片を第１封筒本体の上辺の開口部に設け、折曲用延長片は、第１封筒本体の下辺に、該下辺で折り曲げられることで下辺の開口部を閉止する構成にして設け、ミシン目は前記上辺及び下辺に平行に横断して設け、第２封筒本体は前記ミシン目で分離される下方の領域に区画されることを特徴とする請求項１に記載の封筒。
【請求項３】
第１封筒本体を封緘する第１封緘片を第１封筒本体の上辺の開口部に設け、折曲用延長片は、第１封筒本体の下辺で他方の面へ折り曲げて貼付状態とし、且つ折曲用延長片の先端部の第２封緘片は非貼付状態に維持され、ミシン目は前記上辺及び下辺に平行に横断して設け、第２封筒本体は前記ミシン目で分離される下方の領域に区画されることを特徴とする請求項１に記載の封筒。
【請求項４】
第１封筒本体の上辺の開口部は予め封止状態に構成し、折曲用延長片は、第１封筒本体の下辺に、該下辺で折り曲げられることで下辺の開口部を閉止する構成にして設け、ミシン目は前記上辺及び下辺に平行に横断して設け、第２封筒本体は前記ミシン目で分離される下方の領域に区画されることを特徴とする請求項１に記載の封筒。
【発明の詳細な説明】
【技術分野】
【０００１】
本発明は封筒に関し、詳しくは往復封筒や２回封筒として、封書を２回出すことができる封筒に関する。
【背景技術】
【０００２】
従来、往復はがきは一般に使用されているが、往復封筒等はあまり一般的には使用されていない。
特開平１０−１１９９７５号公報（特許文献１）には、往信用封緘片（４）と返信用封緘片（３）との２枚の封緘片を設けた、往信封筒が開示されている。
再表２００３−０５５７５９号（特許文献２）には、舌片（５）の封緘が開封に際して解かれるようにすると共に、舌片（５）に往信用の宛名を書き、その舌片（５）により隠れる位置に返信用の宛名を書くようにした、封筒の同じ一面側を用いて往信用宛名と返信用宛名とを表示するようにした往復封筒が開示されている。
特開２０１０−１３２３１３号公報（特許文献３）にも、フラップ（２２、２３）の裏に返信用宛名を書くようにすると共に、封筒の同じ一面側を用いて往信用宛名と返信用宛名とを表示するようにした往復封筒が開示されている。
特開平１１−４９１７８号公報（特許文献４）には、封筒の一面側に往信用の宛名を書くシートを剥がせるようにして封筒表面に貼り付けておき、開封後にそのシートを剥がすことで返信用の封筒とする往復封筒の製造方法、及び封緘方法が開示されている。
実用新案登録第３１２３４６８号公報（特許文献５）には、封筒の表面を透明とし、封緘紙に往信の際の封緘用のりしろ（４）と返信用の封緘用糊シロ（６）を２筋設け、封筒の同じ一面側を用いて往信用宛名と返信用宛名とを表示するようにした往復封筒が開示されている。
実用新案登録第３０４４３９７号公報（特許文献６）には、封筒の表表面に往信用宛名を書き、裏表面に返信用の宛名を書くようにした往復封筒が開示されている。
【先行技術文献】
【特許文献】
【０００３】
【特許文献１】特開平１０−１１９９７５号公報
【特許文献２】再表２００３−０５５７５９号
【特許文献３】特開２０１０−１３２３１３号公報
【特許文献４】特開平１１−４９１７８号公報
【特許文献５】実用新案登録第３１２３４６８号公報
【特許文献６】実用新案登録第３０４４３９７号公報
【発明の概要】
【発明が解決しようとする課題】
【０００４】
上記特許文献１は、封緘片（３、４）が２片必要となる往復封筒であるので、封筒作成が容易ではないという問題がある。
上記特許文献２は、封筒の舌片（５）に往信用の宛名を書かねばならないなど、記載スペースが十分に取れない問題がある。或いは舌片（５）をかなり大きくする必要がある。また封筒の同じ面が往信用と返信用とに使われるので、差出人の住所や氏名を書いて表示する際に、往信差出人と返信差出人との区別をつけるのに問題を生じやすく、また往信差出人と返信差出人の表示スペースを混同しないように設ける必要があるなどの問題が生じる欠点がある。
上記特許文献３の場合も同様に、封筒本体（２１）の同じ面を用いて往信先表示と返信先表示をする方式であることから、封筒本体（２１）に透明窓（４）を設ける必要があり、また返信先表示や切手用のスペースを返信フラップ（２３）に設ける必要があることから、フラップ（２３）をかなり大きくする必要がある。また往信差出人及び返信差出人の記載のスペースの確保と混同防止がうまくできないという問題がある。
上記特許文献４の場合は、往信用の閉封蓋（６）用のシートをもう１葉追加しなければならない他、シートを剥がせるように糊付けしなければならない問題がある。
上記特許文献５は、封筒の封緘用舌片に往信時の封緘用のりしろ（４）と返信時の封緘用のりしろ（６）を設けて、舌片による封緘を２回出来るようにしているものの、２帯の封緘用のりしろを平行に配する必要があることから、舌片の面積をかなり広くしなければならない問題がある。また封筒の同じ表面（１）を使って往信用宛名と返信用宛名を表示する必要があるため、封筒の表面（１）を透明シートとしなければならない問題や、往信差出人及び返信差出人の記載のスペースの確保と混同防止がうまくできないという問題がある。
上記特許文献６は、往信用宛名を封筒の表表面、返信用宛名を裏表面に表示するようにした往復封筒であるが、返信面において、返信用宛名を表示する領域よりも上の位置に、往信時の封のノリ面（２）と返信用の封のノリ面（５）を２帯平行に設けているため、封筒の封緘用舌片の面積をかなり広くしなければならない問題がある。しかも返信面における返信宛名表示や切手貼付用のスペースが往信の際にも全く遮蔽された状態にならないので、予め返信用の切手や宛名等を記載すると往信か返信かの区別が非常につけ難く、間違って消印がなされるという問題がある。
【０００５】
そこで本発明は上記従来技術の問題を解消し、１回目の使用がなされた封筒の一部を利用して、第２の封筒を簡単、容易に得て、封書を出すことができ、且つ製造も簡単で低コストで行うことができる封筒の提供を課題とする。
【課題を解決するための手段】
【０００６】
上記課題を達成するため本発明の封筒は、表面と裏面とを備えた長方形状の第１封筒本体と、該第１封筒本体の一辺に対して平行に横断して設けられる切り取り用のミシン目と、該ミシン目によって２領域に分離可能とされる前記第１封筒本体の一方の領域として区画される第２封筒本体と、該第２封筒本体の表裏面のうちの何れか一方の面を前記ミシン目と平行な一辺において延長して他方の面へ折り曲げられるようにしてなる折曲用延長片とを備え、且つ該折曲用延長片の先端部を、前記折曲用延長片が他方の面へ折り曲げられた際に前記ミシン目を越える位置まで達してなる第２封緘片として構成してあることを第１の特徴としている。
また本発明の封筒は、上記第１の特徴に加えて、第１封筒本体を封緘する第１封緘片を第１封筒本体の上辺の開口部に設け、折曲用延長片は、第１封筒本体の下辺に、該下辺で折り曲げられることで下辺の開口部を閉止する構成にして設け、ミシン目は前記上辺及び下辺に平行に横断して設け、第２封筒本体は前記ミシン目で分離される下方の領域に区画されることを第２特徴としている。
また本発明の封筒は、上記第１の特徴に加えて、第１封筒本体を封緘する第１封緘片を第１封筒本体の上辺の開口部に設け、折曲用延長片は、第１封筒本体の下辺で他方の面へ折り曲げて貼付状態とし、且つ折曲用延長片の先端部の第２封緘片は非貼付状態に維持され、ミシン目は前記上辺及び下辺に平行に横断して設け、第２封筒本体は前記ミシン目で分離される下方の領域に区画されることを第３の特徴としている。
また本発明の封筒は、上記第１の特徴に加えて、第１封筒本体の上辺の開口部は予め封止状態に構成し、折曲用延長片は、第１封筒本体の下辺に、該下辺で折り曲げられることで下辺の開口部を閉止する構成にして設け、ミシン目は前記上辺及び下辺に平行に横断して設け、第２封筒本体は前記ミシン目で分離される下方の領域に区画されることを第４の特徴としている。
【発明の効果】
【０００７】
請求項１に記載の封筒によれば、表面と裏面とを備えた長方形状の第１封筒本体を用いて、第１回目の封書を差し出すことができる。第１回目の封書を受け取った者は、開封して内容物を取り出した後の第１封筒本体を、該第１封筒本体の一辺に対して平行に横断する切り取り用のミシン目に沿って分離することで、第２封筒本体を得ることができる。そしてこの分離された第２封筒本体を使用する者は、前記切り取られたミシン目の位置に生じる開口部から内容物を差し入れる。そしてこのミシン目の位置に生じた開口部は、第１封筒本体を差し出す際に折り曲げられて貼り付けられた折曲用延長片の先端部の第２封緘片を用いて、封緘することができる。
よって請求項１の発明によれば、第１封筒本体の一部をミシン目に沿って切り取ることで、第１封筒本体に比べて小形の第２封筒本体を得ることができ、且つ第２封筒本体の折曲用延長片の先端に構成した第２封緘片を用いて、第２封筒本体を封緘することができる。従って、大きい第１の封筒から小さい第２の封筒を簡単、容易に得て、第２回目の封書を出すことができる。
しかも折曲用延長片とその先端部に構成される第２封緘片は、第１封筒本体の一部である第２封筒本体の表裏面の何れか一方の面を延長した延長片として構成されているので、第２封筒本体を含む第１封筒本体を製造する際には、折曲用延長片に相当する部分も一緒に含めた展開図形を１枚のシートから切り出すことで、別のシート部品片を付加する等の煩わしい工程を不用として、簡単、低コストで製造することができる。
【０００８】
また請求項２に記載の封筒によれば、上記請求項１に記載の構成による作用効果に加えて、第１封筒本体の上辺の開口部に第１封緘片が設けられ、これによって第１封筒本体が封緘される。一方、第２封筒本体は、第１封筒本体の上辺や下辺と平行なミシン目により下方の領域に区画される。そして折曲用延長片は、第１封筒本体の下辺（即ち、第２封筒本体の下辺）に延長して設けられ、下辺で折り曲げることで下辺の開口部を閉止することができる構成とされている。
第１封筒本体内には、上辺の開口部からも下辺の開口部からも書類等を差し入れることができる。書類等を第１封筒本体内に入れた後、上辺の第１封緘片を封緘し、また下辺の折曲用延長片を反対側に折り曲げ、先端部の第２封緘片を残して折曲用延長片を貼り付けすることで、第１封筒本体による郵送準備が整う。第１封筒本体による郵送を受けた者は、上辺等を開封することで、内容物を取り出すことができる。そしてその後、切り取り用のミシン目で第１封筒本体を上方と下方の領域に分離することで、下方の領域を第２封筒本体として得ることができる。第２回目の郵送準備は、第２封筒本体の前記ミシン目部分の開口部から書類等の内容物を差し入れ、第２封緘片でそのミシン目の開口部を封緘することで準備が整う。
請求項２に記載の封筒によれば、第１封筒本体の一部から小形の第２封筒本体を容易に得ることができ、且つ第２封筒本体の封緘も第２封緘片を用いて容易に行うことができる。しかも第２封筒本体を封緘するのに用いる折曲用延長片やその先端部の第２封緘片を含む第１封筒本体や第２封筒本体の全てを、１枚のシートから展開図形として１回で切り出すことができ、別のシート部品片を付加することなく、省工程、省時間、省作業で容易に、低コストで製造することができる。
【０００９】
また請求項３に記載の封筒によれば、上記請求項１に記載の構成による作用効果に加えて、第１封筒本体の上辺の開口部に第１封緘片が設けられる。第１封緘片で第１封筒本体の封緘がなされる。一方、第２封筒本体は、第１封筒本体の上辺や下辺と平行なミシン目により下方の領域に区画される。そして折曲用延長片は、第１封筒本体の下辺（即ち第２封筒本体の下辺）に延長して設けられ、下辺で予め他方の面へ折り曲げ、先端部の第２封緘片を除いて貼り付けた状態とされる。
第１封筒本体の上辺の開口部から書類等を差し入れ、第１封緘片を封緘することで、第１封筒本体による郵送準備が整う。第１封筒本体による郵送を受けた者は、上辺等を開封することで、内容物を取り出すことができる。そして、その後、切り取り用のミシン目で第１封筒本体を上方と下方の領域に分離することで、下方の領域を第２封筒本体として得ることができる。第２回目の郵送準備は、第２封筒本体の前記ミシン目部分の開口部から書類等の内容物を差し入れ、第２封緘片でそのミシン目の開口部を封緘することで、準備が整う。
請求項３に記載の封筒によれば、第１封筒本体の一部から小形の第２封筒本体を容易に得ることができ、且つ第２封筒本体の封緘も第２封緘片を用いて容易に行うことができる。しかも第１封筒本体や第２封筒本体の全てを、１枚のシートから展開図形として１回で切り出すことができ、別のシート部品片を付加する手間なく、省工程、省時間、省作業、低コストで製造することができる。
【００１０】
また請求項４に記載の封筒によれば、上記請求項１に記載の構成による作用効果に加えて、第１封筒本体の上辺は最初から封止状態とされる。第２封筒本体は切り取り用のミシン目で分離される第１封筒本体の下方の領域として得ることができる。第１封筒本体への書類等の内容物は、未だ開放状態にある下辺の開口部から差し入れられる。書類等を下辺開口部から差し入れた後に、折曲用延長片を他方の面に折り曲げ、その先端の第２封緘片を残して貼り付けることで、第１封筒本体による郵送準備が整う。第１封筒本体による郵送を受けた者は、上辺等を開封することで、内容物を取り出すことができる。そしてその後、切り取り用のミシン目で第１封筒本体を上方と下方の領域に分離することで、第２封筒本体を得ることができる。第２回目の郵送準備は、第２封筒本体の前記ミシン目部分の開口部から書類等の内容物を差し入れ、第２封緘片でそのミシン目の開口部を封緘すれば整う。
請求項４に記載の封筒によれば、第１封筒本体の一部から小形の第２封筒本体を容易に得ることができ、且つ第２封筒本体の封緘も第２封緘片を用いて容易に行うことができる。第１封筒本体の上辺は予め封止しているので、封緘作業は不要である。第１封筒本体や第２封筒本体の全てが、１枚のシートから展開図形として１回で切り出すことができ、別のシート部品片を付加する必要もなく、省工程、省時間、省作業、低コストで製造することができる。
【図面の簡単な説明】
【００１１】
【図１】本発明の第１実施形態に係る封筒の表面を示す図である。
【図２】本発明の第１実施形態に係る封筒の裏面を示す図である。
【図３】本発明の第２実施形態に係る封筒の表面を示す図である。
【図４】本発明の第２実施形態に係る封筒の裏面を示す図である。
【図５】本発明の第３実施形態に係る封筒の表面を示す図である。
【図６】本発明の第３実施形態に係る封筒の裏面を示す図である。
【発明を実施するための形態】
【００１２】
先ず図１、２を参照して、本発明の第１実施形態に係る封筒を説明する。
封筒１０は、第１封筒本体１０Ａと、第２封筒本体１０Ｂとを備える。
第２封筒本体１０Ｂは切り取り用のミシン目１１によって分離可能に構成されている。
第２封筒本体１０Ｂに延長して折曲用延長片１０Ｃが設けられている。
【００１３】
前記第１封筒本体１０Ａは、往復封筒の往信用に用いることができる。また２回使用できる２回封筒としては、第１回目の封筒として用いることができるものである。
第１封筒本体１０Ａは、その上辺１２ａの開口部１３ａ（図２の裏面Ｙ参照）に第１封緘片１４を設けている。この第１封緘片１４は、封筒の表面Ｘ側から裏面Ｙ側に折り曲げることで封緘に供される。第１封緘片１４の付け根の位置、即ち第１封筒本体１０Ａの上辺１２ａの位置に、第１封緘片１４の折り曲げ位置を示す折曲線１５ａを設けることができる。
第１封筒本体１０Ａの下辺１２ｂ（即ち、第２封筒本体１０Ｂの下辺１２ｂでもある）に延長して折曲用延長片１０Ｃが設けられる。下辺１２ｂには、折曲用延長片１０Ｃの折り曲げ位置を示す折曲線１５ｂを設けることができる。
第１封筒本体１０Ａの表面Ｘ（図１）の上部には、切手貼付用表示１６ａや郵便番号用表示１７ａを予め設けておくことができる。
第１封筒本体１０Ａの裏面Ｙ（図２）においては、第１封緘片１４の裏面Ｙに貼付用接着剤１８ａを剥離紙と共に付けておくことができる。
【００１４】
前記第２封筒本体１０Ｂは、往復封筒の返信用に用いることができる。また２回使用できる２回封筒としては、第２回目の封筒として用いることができるものである。
第２封筒本体１０Ｂは第１封筒本体１０Ａの一部を構成するものであるが、前記ミシン目１１によって、上下の２領域に分離される下方の領域として区画される。
前記ミシン目１１は、第１封筒本体１０Ａの上辺１２ａ、下辺１２ｂに平行に封筒を横断して設けられる。
勿論、このミシン目１１は必ずしも封筒を完全に横断する必要はなく、ミシン目１１の両端が封筒の左右両辺に未達状態となるようにすることで、封筒が郵送途中等において簡単に分離、破断してしまうのを防ぐことができる。
第２封筒本体１０Ｂの大きさは、例えば前記第１封筒本体１０Ａの大きさを角２（横寸法２４０×縦寸法３３２ｍｍ）とすると、これを横断するミシン目１１で分離することで、長３（横寸法１２０×縦寸法２３５）に近い大きさとすることができる。
【００１５】
前記折曲用延長片１０Ｃは、その先端部に第２封緘片１９を設けることで、第２封筒本体２０Ｂの封緘を行うことをその主たる役割の１つとしている。
折曲用延長片１０Ｃは、第２封筒体１０Ｂの下辺１２ｂに延長して設けられる。この折曲用延長片１０Ｃの横寸法は前記第１封筒本体１０Ａや第２封筒本体１０Ｂの横寸法と同じである。
折曲用延長片１０Ｃの先端部には、第２封緘片１９が構成されている。該第２封緘片１９は、折曲用延長片１０Ｃを第２封筒本体１０Ｂの下辺１２ｂの折曲線１５ｂで表面Ｘから反対側の裏面Ｙへ折り曲げたときに、前記第２封緘片１９が裏面Ｙのミシン目１１の位置（表面Ｘのミシン目１１と同じ位置）から封緘に適当な寸法だけ越える位置となるように構成される。この第２封緘片１９は前記第１封緘片１４の場合と同様に、予めその両端を面取りしている。
折曲用延長片１０Ｃには、予め切手貼付用表示１６ｃや郵便番号用表示１７ｃを設けておくことができる。
折曲用延長片１０Ｃには、その裏面（Ｙ）に予め貼付用接着剤１８ｃを剥離紙と共に設けておくことができる。同様に第２封緘片１９の裏面（Ｙ）にも予め貼付用接着剤１８ｄを剥離紙と共に設けておくことができる。
折曲用延長片１０Ｃは予め折曲線１５ｂで表面Ｘから反対側の裏面Ｙへ折り曲げておくことができる。
【００１６】
本発明の第１実施形態に係る封筒の使用方法を説明する。
先ずこの封筒を使用する者は、書類等を第１封筒本体１０Ａの上辺１２ａの開口部１３ａ、若しくは第２封筒本体１０Ｂの下辺１２ｂの開口部１３ｂから第１封筒本体１０Ａ内に差し入れる。そして第１封緘片１４を封緘する。また折曲用延長片１０Ｃを反対面（裏面Ｙ）側に折り曲げ、該折曲用延長片１０Ｃを第２封筒本体１０Ｂの裏面Ｙに貼付用接着剤１８ｃで接着する。このとき、第２封緘片１９は接着することなくフリーに残しておく。
後は第１封筒本体１０Ａに切手、受取人の郵便番号、住所、氏名等を書き、また差出人の住所、氏名を適当な位置に書けば、第１回目の差出準備が整う。
前記第１回目の郵便を受けた者は、上辺等を開封することで書類等を取り出すことができる。
そして、この封筒を再利用するときには、封筒をミシン目１１で分断することで、第２封筒本体１０Ｂを得ることができる。
第２封筒本体１０Ｂは前記切り取られたミシン目１１の位置が開口部となっている。従って、そのミシン目１１の開口部から書類等を差し入れ、その後、第２封緘片１９を用い、貼付用接着剤１８ｄの剥離紙を剥離することで、前記開口部を封緘することができる。
後は、折曲用延長片１０Ｃ（第２封筒本体１０Ｂ）の表面（Ｘ）に切手、受取人の郵便番号、住所、氏名等を書き、また差出人の住所、氏名を適当な位置に書けば、第２回目の差出準備が整う。
【００１７】
図３、図４を参照して、第２実施形態に係る封筒を説明する。
本実施形態の封筒２０は、第１実施形態の封筒１０に対して、更に折曲用延長片２０Ｃを予め表面Ｘから裏面Ｙ側に折り返し、第２封緘片２９を除く折曲用延長片２０Ｃを第２封筒本体２０Ｂの裏面Ｙに貼り付けた構成としている。
第１封筒本体２０Ａの構成は上記第１実施形態における第１封筒本体１０Ａと同じ構成である。また第２封筒本体２０Ｂの構成も上記第１実施形態における第２封筒本体１０Ｂの構成と同じである。
折曲用延長片２０Ｃの構成も、前記予め折り曲げて貼り付けしている点を除き同じである。
ミシン目２１の構成も上記第１実施形態におけるミシン目１１の構成と同じである。
その他、上辺２２ａ、下辺２２ｂ、開口部２３ａ、第１封緘片２４、折曲線２５ａ、切手貼付用表示２６ａ、２６ｃ、郵便番号用表示２７ａ、２７ｃ、貼付用接着剤２８ａ、２８ｄは、それぞれ第１実施形態の上辺１２ａ、下辺１２ｂ、開口部１３ａ、第１封緘片１４、折曲線１５ａ、切手貼付用表示１６ａ、１６ｃ、郵便番号用表示１７ａ、１７ｃ、貼付用接着剤１８ａ、１８ｄに対応する。
但し、この第２実施形態の封筒は往復封筒として構成している。この点において、本実施形態では第１封筒本体２０Ａの表面Ｘの上部に往復封筒表示５１がなされ、また差出人記載欄表示５２がなされ、第２封筒本体２０Ｂの表面Ｘに受取人記載欄表示５３がなされている。
【００１８】
本発明の第２実施形態に係るこの往復封筒の使用方法を説明する。
先ずこの封筒を往信する者は、書類等を第１封筒本体２０Ａの上辺２２ａの開口部２３ａから第１封筒本体２０Ａ内に差し入れる。そして第１封緘片２４を封緘する。また第１封筒本体２０Ａの表面Ｘに切手を貼り、受取人の郵便番号を加入する。このとき受取人の住所、氏名は、切り取り用のミシン目２１より下の第２封筒本体２０Ｂの表面Ｘに記載するようにすることができる。第２封筒本体２０Ｂの受取人記載欄表示５３は、そのような記載を促すものである。受取人の住所、氏名の記載を第２封筒本体２０Ｂに記載することで、返信の際には受取人が差出人に変わるので、その住所、氏名等の記載の手間を省くことができる。勿論、受取人の住所、氏名は、第１封筒本体２０Ａの表面Ｘの中央付近に記載してもよい。また差出人の住所、氏名は第１封筒本体２０Ａのミシン目２１の少し上当たりに書くことができる。また差出人の住所、氏名は、折り返された折曲用延長片２０Ｃの裏面Ｙに切手や郵便番号と共に予め記載しておくことができる。こうすることで、返信者が宛名を書く手間を省くことができる。
往信を受け取った者は、第１封緘片２４等を開封することで、内部の書類等を取り出すことができる。
そして返信を行う場合には、封筒をミシン目２１で切り取ることで、第２封筒本体２０Ｂを得ることができる。返信者は返信書類等を前記分断されたミシン目２１の開口部から第２封筒本体２０Ｂに差し入れることができる。
また返信の際の受取人や差出人の記載に関しては、往信者によって既に記載されている場合は、返信者による記載の手間が省ける。
前記受取人や差出人の記載、切手等の準備が整うと、後は第２封緘片２９で前記ミシン目２１の開口部を封緘することで、返信の準備が整う。なお、受取人記載欄表示５３を第２封筒本体２０Ｂの表面Ｘのミシン目２１の少し下あたりに設けておくことにより、第２封緘片２９を折り返して封緘した際、前記受取人記載欄表示５３を該封緘片２９で隠すことができる。これにより、返信の際の誤送を防ぐことができる。
封緘片２９による封緘と、第２封筒本体２０Ｂの表面Ｘ、裏面Ｙでの住所、氏名の記載、切手の貼り付け等の順序は限定されない。
第２実施形態の封筒２０においては、折曲用延長片２０Ｃを裏面Ｙ側に予め折り返して貼り付けしているので、往信者における往信の際の手間が少なくて済む。また封筒の面積が大きくならず、従来の封筒と同じ面積の封筒とすることができる。
また往復封筒表示５１や差出人記載欄表示５２、受取人記載欄表示５３を適所に設けているので、往復封筒として使い易いメリットがある。
【００１９】
図５、図６を参照して、第３実施形態に係る封筒を説明する。
本実施形態の封筒３０は、第１実施形態の封筒１０において設けられている上辺１２ａの開口部１３ａや第１封緘片１４は設けられていない。即ち、第１封筒本体３０Ａの上辺３２ａは予め開口部が封止状態とされている。
他の構成は、第１実施形態の封筒と同じである。即ち、第２封筒本体３０Ｂの構成は上記第１実施形態における第２封筒本体１０Ｂの構成と同じである。折曲用延長片３０Ｃの構成、ミシン目３１の構成も上記第１実施形態における折曲用延長片１０Ｃ、ミシン目１１の構成と同じである。
その他、上辺３２ａ、下辺３２ｂ、開口部３３ｂ、折曲線３５ｂ、３５ｃ、切手貼付用表示３６ａ、３６ｃ、郵便番号用表示３７ａ、３７ｃ、貼付用接着剤３８ｃ、３８ｄ、第２封緘片３９は、それぞれ第１実施形態の上辺１２ａ、下辺１２ｂ、開口部１３ｂ、折曲線１５ｂ、１５ｃ、切手貼付用表示１６ａ、１６ｃ、郵便番号用表示１７ａ、１７ｃ、貼付用接着剤１８ｃ、１８ｄ、第２封緘片１９に対応する。
但し、この第３実施形態の封筒３０は２回封筒である旨の２回封筒表示５４を第１封筒本体３０Ａの表面Ｘの上部にしている。
また１回目の封書となる第１封筒本体３０Ａに、受取人記載欄表示５５と差出人記載欄表示５６を設けている。
【００２０】
本発明の第３実施形態に係る２回封筒としての封筒３０の使用方法を説明する。
先ずこの封筒を使用する者は、書類等を第２封筒本体３０Ｂの下辺３２ｂの開口部３３ｂから封筒内に差し入れる。そして折曲用延長片３０Ｃを反対面（裏面Ｙ）側に折り曲げ、該折曲用延長片３０Ｃを第２封筒本体３０Ｂの裏面Ｙに貼付用接着剤３８ｃで接着する。このとき、第２封緘片３９は、フリーの状態とし、接着することなく残しておく。
後は、第１封筒本体３０Ａに切手、受取人の郵便番号、住所、氏名等を書き、また差出人の住所、氏名を適当（第１封筒本体３０Ａの上部で、ミシン目３１より上の位置）な位置に書けば、第１回目の差出準備が整う。
前記第１回目の郵便を受けた者は、上辺等を開封することで書類等を取り出すことができる。
そして、この封筒を再利用する者は、封筒をミシン目３１で分断することで、第２封筒本体３０Ｂを得ることができる。
第２封筒本体３０Ｂは前記切り取られたミシン目３１の位置が開口部となっている。従って、そのミシン目３１の開口部から書類等を差し入れ、その後、第２封緘片３９を用い、貼付用接着剤３８ｄの剥離紙を剥離した後、折り返して表面Ｘに接着することで、前記開口部を封緘することができる。
後は、折曲用延長片３０Ｃの表面Ｘに切手、受取人の郵便番号、住所、氏名等を書き、また差出人の住所、氏名を適当な位置に書けば、第２回目の差出準備が整う。
【符号の説明】
【００２１】
１０、２０、３０            封筒
１０Ａ、２０Ａ、３０Ａ      第１封筒本体
１０Ｂ、２０Ｂ、３０Ｂ      第２封筒本体
１０Ｃ、２０Ｃ、３０Ｃ      折曲用延長片
１１、２１、３１            ミシン目
１２ａ、２２ａ、３２ａ      上辺
１２ｂ、２２ｂ、３２ｂ      下辺
１３ａ、２３ａ、            開口部
１３ｂ、３３ｂ              開口部
１４、２４                  第１封緘片
１５ａ、２５ａ              折曲線
１５ｂ、３５ｂ              折曲線
１５ｃ、３５ｃ              折曲線
１６ａ、２６ａ、３６ａ      切手貼付用表示
１６ｃ、２６ｃ、３６ｃ      切手貼付用表示
１７ａ、２７ａ、３７ａ      郵便番号用表示
１７ｃ、２７ｃ、３７ｃ      郵便番号用表示
１８ａ、２８ａ              貼付用接着剤
１８ｃ、３８ｃ              貼付用接着剤
１８ｄ、２８ｄ、３８ｄ      貼付用接着剤
１９、２９、３９            第２封緘片
５１                        往復封筒表示
５２                        差出人記載欄表示
５３                        受取人記載欄表示
５４                        ２回封筒表示
５５                        受取人記載欄表示
５６                        差出人記載欄表示
【図１】
0005879207.tif 000002
【図２】
0005879207.tif 000003
【図３】
0005879207.tif 000004
【図４】
0005879207.tif 000005
【図５】
0005879207.tif 000006
【図６】
0005879207.tif 000007